(57)【特許請求の範囲】
【請求項１】
革からなる接地板（１１）を備え、その接地板（１１）は蒸気に対して透過性を有し水に対して非透過性を有する材料からなる膜（１２）によって上面領域が少なくとも部分的に覆われ、前記膜（１２）はその周縁領域が接地板（１１）に対して密封され、ゴム等のようなプラスチック材料からなる挿入体（１５）が気密状態で挿入される貫通孔（１４）を有し、その挿入体は貫通孔（１６）を有することを特徴とする防水通気性靴底（１０）。
【請求項２】
前記挿入体（１５）が、滑り止めおよび摩滅防止突出部（１５ａ）を接地板（１１）の下面に形成することを特徴とする請求項１記載の靴底。
【請求項３】
前記膜（１２）はその周囲が接地板（１１）のエッジから離れるように設けられ、ゴムからなる周縁上部額縁（１３）が、接地板に設けられ、かつ、膜が見える広い中央開口を残して膜（１２）の周縁領域を覆って密封したことを特徴とする請求項１記載の靴底。
【請求項４】
膜（１２）の寸法が接地板（１１）の寸法に等しく、膜のエッジが膜の全周辺に沿って接着剤により接地板に密封されることを特徴とする請求項１記載の靴底。
【請求項５】
少なくとも１つの保護層（１７）が接地板（１１）に挿入される挿入体（１５）の貫通孔（１６）の少なくとも上出口に設けられ膜を保護することを特徴とする請求項１記載の靴底。
【請求項６】
挿入体（１５）は、挿入体の接地板からの離脱を防止するアンダーカットを接地板（１１）の内部で形成することを特徴とする請求項１記載の靴底。
【請求項７】
通気性のおよび／又は多孔質の保護層（２０）が膜（１２）の上面に設けられることを特徴とする請求項１記載の靴底。
【請求項８】
挿入体（１５）は射出成形によって接地板（１１）に設けられることを特徴とする請求項１記載の靴底。
【発明の詳細な説明】
【０００１】
従来分野
この発明は防水通気性靴底に関する。
背景技術
革のような天然素材でできた普通の靴底の靴をはいた時に気付く主な問題は、湿った環境から生じることが知られている。
【０００２】
雨や悪天候により道路がぬかるんですべりやすくなった時に、革底の靴をはくことは、実際、勧められない。というのは、革は通気性があって足に健康的であるという特徴があるため、実際には通気性は失わないが水を吸収するからである。
【０００３】
革を薄くすればする程、早く水や湿気を含み、使用者の足を濡らす。
【０００４】
他の欠点としては、靴の接地板は模様がなく平坦で、ときにはワックスで磨かれる。これは湿った環境においてさらに問題になるが、それは掴みがそのような状況では不安定になるからである。
【０００５】
従って、革の接地板（tread）を有する靴底を用いることは天候状態により左右されるので、靴のメーカーはこのタイプの素材の靴は主にサマーコレクションで用意するようにしている。
【０００６】
靴の接地板と足を入れる場所との間に、ポリエチレン又はＰＶＣ製の部材を挿入することによってこの欠点を除こうとする試みがなされてきたが、この部材は通気性を損なうし、革の使用を純粋に審美的な問題に変えてしまう。
【０００７】
本願の出願人によるヨーロッパ出願第ＥＰ−０６１９９５９号に開示された靴底が考案されたが、それは通気性があって水を浸透させない材料からなる膜により上面領域の少なくとも一部がおおわれた、革又は類似の素材の接地板を備える。
【０００８】
その場合、接地板は、ゴム又は類似の材料で作られ少なくともその膜により影響をうける領域内に複数の貫通孔を有する少なくとも１つの上部分を少なくとも周縁に備える。
【０００９】
それは、かなりの技術段階の前進であるが、革の接地板は防水されているため、そのような靴底は欠点を有し、その主な欠点は革の性質そのものであり、それは上記のように通気性材料であるが、その発散の程度が、使用中の靴の中で生じるすべての熱や蒸気を迅速に放散させるほど高くないということである。
【００１０】
発明の開示
この発明の目的は、ヨーロッパ特許出願ＥＰ−０６１９９５９号に開示された方法によって防水加工され革等で作られた靴底の通気性をさらに改良することである。
【００１１】
この発明の結果として生じる主目的は、どのような使用条件においても良好な地面掴み特性を有する靴底を提供することである。
【００１２】
この発明の他の目的は、衝撃防止特性を有する靴底を提供することである。
【００１３】
この発明の他の目的は、現在市販され革の接地板を有する靴底と同じ外観を有する靴底を提供することである。
【００１４】
【００１５】
この発明の他の目的は、使用上の快適さを増すことである。
【００１６】
この発明の他の目的は、低コストで製造でき、競争できる価格で販売可能な靴底を提供することである。
この発明の他の目的は、周知の装置と方法で製造できる靴底を提供することである。この意図とこれらの又は他の目的とは、以下においてさらに明らかになるが、革又は類似材料からなる接地板（tread）を備え、その接地板は蒸気に対して透過性を有し水に対して非透過性を有する材料からなる膜によって上面領域が少なくとも部分的に覆われ、その周縁領域が接地板に対して密封され、ゴム等のようなプラスチック材料からなる挿入体の気密状態で挿入される貫通孔を有し、その挿入体は順に貫通孔を有することを特徴とする防水通気性靴底によって達成される。
【００１７】
発明の実施の方法
図を参照すると、この発明による防水通気性靴底が、全体的に参照番号１０で示され、革又は類似の材料で作られ、上面領域、つまり実質的な足底領域が膜１２で覆われた接地板１１を備える。膜１２は水に対して不浸透性で蒸気に対して浸透性であり、ゴアテックス（Gore Tex）として商業的に知られているような材料で好適に作られる。
【００１８】
この場合、膜１２は周囲が接地板１１のエッジから離れ、上面周縁の額縁１３はゴム、ポリウレタン、ＰＶＣ又は他の同等材料で例えば射出成形によって作られて接地板１１の上に設けられ、膜が見える大きな中央開口が残るように膜１２の周縁領域を覆って密封する。
【００１９】
また、膜１２は接地板１１と同じ寸法を有し、そのエッジを、水や溶媒を基材とする熱溶融液タイプの適当な接着剤によって全外周に沿って密閉することができる。
これは、ウエルト（welt）とその上部を固定させるために行われる。膜１２に
は水遮断層を構成するが、革の通気特性を保っている。
【００２０】
この発明によれば、接地板１１は、貫通孔１４を有し、その中にゴム又は類似材料で作られた挿入体１５が、例えば射出成形によって挿入され、その挿入体は接地板１１の下面にすべり止めおよび摩滅防止突出部１５ａ形成する。
【００２１】
挿入体１５は、接触面１１から離脱しないようにアンダーカットを備えるような形状を有する。この場合、上から下への形状は、減少した後増大する幅を備える。挿入体１５はさらに貫通孔１６を備え、その貫通孔は膜１２の下面領域を接地板１１の下面領域に接続する。
【００２２】
これは、接地板１１を構成する材料の通気作用を改良するために設けられる。
【００２３】
少なくとも１つのフエルトのような通気性の保護層１７を貫通孔１６の上出口に設け、その貫通孔を通って膜１２を損傷させる小石のような丸い物体から膜１２を保護することが好ましい。
【００２４】
なお、膜１２の上に、フエルト、軽ジャージ又は不織布等のような通気性又は多孔性の保護層２０を設けることが望ましい。
【００２５】
この層は、靴底１０の他の部品と共に処理されたり組立てられるときに十分な保護を必要とする薄いフィルムである。
【００２６】
実際に、この発明の意図と目的を達成したことが観察された。
【００２７】
靴底は実際、防水性の革の靴底に関しては貫通孔１６の存在のおかげで通気性の点から質的に改良された特性を有し、貫通孔１６を有し、かつ、突出部１５ａを備える挿入体１５の存在によるすべり止め特性を特徴とする。
【００２８】
なお、それは通常の製造方法により特別な困難性もなく製造できる。
【００２９】
このように考えられたこの発明は、多くの変更および変形が可能であり、それらはすべてこの発明の概念の範囲内にある。
【００３０】
さらに、すべての詳細部分は、他の技術的に均等な要素で置換できる。
実際に用いられる材料は、それらが付随する使用と寸法について互換性がある限り必要に応じてどのようなものであってもよい。
【００３１】
この出願が優先権主張の基礎とするイタリア特許出願第ＰＤ２０００Ａ００００２７号は、引用することによってここに刻み込まれる。
【図面の簡単な説明】
【図１】  この発明による靴底の底面図である。
【図２】  図１の靴底の線II-IIで切り取った横断面図である。
【図１】
0004801305.tif 000002
【図２】
0004801305.tif 000003